(57)【要約】      （修正有）【課題】取り付けられる吊るし掛け用バーに傷をつけず、パイプに確実に固定できるポップカード取付具を提供する。【解決手段】上面に形成された凹溝にポップカード30が差し込まれるゴム部材からなるスタンド本体１０と、スタンド本体10に対して密着状態に被せられ、ポップカード30が差し込まれる前記凹溝に臨むスリット部を備えたスタンドケース20と、を有し、スタンド本体10には吊るし掛け用バー40が貫通する貫通孔部が形成され、スタンド本体10は、バー40を挟んでその両側で２つの部材に分割される２分割構造に形成されている。【選択図】    図１
2006003587.tif 000002
【特許請求の範囲】
【請求項１】
上面に形成された凹溝に差し込まれるポップカードを挟持するゴム部材からなるスタンド本体と、
前記スタンド本体に対して密着状態に被せられ、前記ポップカードが差し込まれる前記凹溝に臨むスリット部を備えたスタンドケースと、を有し、
前記スタンド本体には被取付部材が貫通する貫通孔部が形成されていることを特徴とするポップカードスタンド。
【請求項２】
前記スタンド本体は、前記被取付部材を挟んでその両側で２つの部材に分割される２分割構造に形成されていることを特徴とする請求項１に記載のポップカードスタンド。
【請求項３】
前記凹溝は、前記被取付部材の延びる方向と直交する第１の方向、又は前記被取付部材の延びる第２の方向の両方又はいずれか一方の方向に形成されていることを特徴とする請求項１または２に記載のポップカードスタンド。
【請求項４】
水平方向に延びるバー部材を備えた陳列用ハンガーにおいて、該バー部材に請求項１から３のいずれかに記載のポップカードスタンドを取り付けたことを特徴とする陳列用ハンガー。
【発明の詳細な説明】
【技術分野】
【０００１】
本発明は、ポップ（ＰＯＰ）カードを支持するポップカードスタンド、及びこのポップカードスタンドを備えた衣料品などを陳列する陳列用ハンガーに関するものである。
【背景技術】
【０００２】
衣料品を扱う店舗などにおいて、商品の展示方法として陳列用ハンガーが多く用いられている。
【０００３】
衣料品などを陳列する陳列用ハンガーは、一対の対向する支柱の上部に角筒あるいは円筒状の掛け用バーを水平に取り付けた構成としたもので、ジャケット、スーツなどの衣料品を一つ一つ掛けたハンガー（以下掛けハンガーと称す）のフックをこの掛け用バーに掛けて吊るし、来店者が自由に商品を手に取って選ぶことができるようにしている。
【０００４】
一方、集客方法の一つとして、ＰＯＰ（ポップ）広告（point-of-purchase advertising）が知られている。このようなポップ広告を陳列用ハンガーに適用する場合、陳列用ハンガーの掛け用バーに取り付けたポップカードスタンドに広告文等を記載したポップカードを取り付けるようにしている。
【０００５】
このようなポップカードスタンドとしては、円筒形のパイプ部材で構成される吊るし掛け用バーに装着される場合を例にとると、吊るし掛け用バーの外径よりも大きな内径を有する縦断面略Ｃ字形状の取付アーム部を有し、この取付アーム部の下アーム部に上下方向に螺進可能な締付ボルトを螺合させている。そして、この締付ボルトを締め付けると、この締付ボルトの先端面が前記吊るし掛け用バーの下端面に当接し、さらに締め付けると前記取付アーム部の上アーム部と該締付ボルトとにより該吊るし掛け用バーを挟持することで該取付アーム部が該吊るし掛け用バーに固定される（特許文献１）。
【特許文献１】実開平８−０００７２２号公報  また、前記吊るし掛け用バーの外形を角形とした場合には、取付アーム部を縦断面略コ字形状とすることにより、前記取付アーム部を角形バーの外形に合致させた状態での固定が実現できる。
【発明の開示】
【発明が解決しようとする課題】
【０００６】
上述した従来のポップカードスタンドは、円筒形の吊るし掛け用バーに固定される取付アーム部は、締付ねじが一点で吊るし掛け用バーに当接することで該取付アーム部が該吊るし掛け用バーに固定されているため、ポップカードスタンドに取り付けられるポップカードが重い場合、あるいはポップカードに手が触れて外力が加わると、ポップカードスタンドが吊るし掛け用バーに対して簡単に回転し、ポップカードが逆さまになることがある。その際、締付ねじの先端で吊るし掛け用バーの外周に傷がついてしまう。
【０００７】
また、前記締付ねじの締付力を強くすると、吊るし掛け用バーの外表面の下端部に凹みができ、さらにはねじ跡が残ってしまうことがあった。
【０００８】
一方、従来のポップカードスタンドは、吊るし掛け用バーに固定さえできれば良いという観点で製作されていることから、取り付けアーム部に締付ねじを螺合させている外観を呈しており、高級感を与えるとはいい難いものであり、また店舗の内装等を凝ったものにしても、商品を陳列する陳列用ハンガーに取り付けられているポップカードスタンドがマッチしていないと、陳列用ハンガーに吊るされている商品の価値も下がって見えかねない。
【０００９】
本発明の目的は、このような従来の問題に鑑みなされたもので、取り付けられる吊るし掛け用バーに傷をつけることが一切なく、ポップカードが重く、また外力がポップカードに加わっても簡単に回動することがなく、外観的にも優れたデザイン性を備えたポップカードスタンド及びポップカードスタンドを備えた陳列用ハンガーを提供しようとするものである。
【課題を解決するための手段】
【００１０】
本発明の目的を実現する第１の発明は、請求項１に記載のように、上面に形成された凹溝に差し込まれるポップカードを挟持するゴム部材からなるスタンド本体と、前記スタンド本体に対して密着状態に被せられ、前記ポップカードが差し込まれる前記凹溝に臨むスリット部を備えたスタンドケースと、を有し、前記スタンド本体には被取付部材が貫通する貫通孔部が形成されていることを特徴とするポップカードスタンドとするものである。
【００１１】
本発明の目的を実現する第２の発明は、請求項２に記載のように、上記した第１の発明において、前記スタンド本体は、前記被取付部材を挟んでその両側で２つの部材に分割される２分割構造に形成されていることを特徴とする。
【００１２】
本発明の目的を実現する第３の発明は、請求項３に記載のように、上記いずれかの発明で、前記凹溝は、前記被取付部材の延びる方向と直交する第１の方向、又は前記被取付部材の延びる第２の方向の両方又はいずれか一方の方向に形成されていることを特徴とする。
【００１３】
本発明の目的を実現する第４の発明は、請求項４に記載のように、水平方向に延びるバー部材を備えた陳列用ハンガーにおいて、該バー部材に上記いずれかの発明のポップカードスタンドを取り付けたことを特徴とする陳列用ハンガーとするものである。
【発明の効果】
【００１４】
請求項１に係る発明によれば、ゴム部材からなるスタンド本体の貫通孔部に被取付部材を貫通させた状態でスタンドケースを該スタンド本体に被せると、スタンド本体がその側面から締め付けられ、スタンド本体はゴムの高摩擦性により回転することなくしっかりと固定される。このため、大きなサイズのポップカードを保持する場合でも、ポップカードスタンドが簡単に回転することはなく、しかも被取付部材とはゴムで保持されるので傷が付くようなことは一切ない。
【００１５】
また、ポップカードスタンドは、外観が合成樹脂などで形成されたスタンドケースで覆われているため、このスタンドケースの形状、色、質感などによりポップカードスタンドのデザイン性を高めることができる。
【００１６】
請求項２に係る発明によれば、スタンド本体を１部材ではなく、被取付部材を挟んでその両側に分かれるで２つの部材に分割される２分割構造に形成しているので、被取付部材に対する取付及び取り外しを容易に行なうことができる。
【００１７】
請求項３に係る発明によれば、主に使用する第１の方向の凹溝か、多くてもこの第１の方向と直交する方向の第２の凹溝の２つの溝のみが形成されるので、スタンドケースのスリットもこれに合わせた少ない数で済むので、デザイン的にもすっきりとしている。
【００１８】
請求項４に係る発明によれば、予め陳列用ハンガーに上述のポップカードスタンドを取り付けておけば、陳列用ハンガーに衣料品既に掛けた状態で店舗に商品を配送する際、その都度ポップカードの取付を行なう必要がなく、店舗では直ぐにポップカードの差込作業を行なえる。
【発明を実施するための最良の形態】
【００１９】
図１〜図３は本発明の実施の形態を示す。
【００２０】
図１はポップカードスタンドを陳列用ハンガーの吊るし掛け用バーに装着した状態を示す斜視図、図２は図１のポップカードスタンドの斜視図を示し、図３は図１、図２に示すポップカードスタンドの分解斜視図を示す。
【００２１】
図１〜図３において、本実施の形態のポップカードスタンド１は、ゴム部材で形成された２分割構造のスタンド本体１０と、このスタンド本体１０に被せられるスタンドケース２０とにより構成され、ポップカードスタンド本体１０に差込嵌合によりポップカード３０が保持固定されている。また、このスタンド本体１０に形成された貫通孔部１１に例えば陳列用ハンガー（不図示）の吊るし掛け用バー４０が貫通しており、このスタンド本体１０にスタンドケース２０を被せることにより２分割構造のスタンド本体１０が内側に向けて締付けられて一体化し、スタンド本体１０が吊るし掛け用バー４０に固定される。
【００２２】
スタンド本体１０は、ゴム部材からなる第１のスタンド本体部１０Ａと、ゴム部材からなる第２のスタンド本体部１０Ｂとの２部材からなり、第１のスタンド本体部１０Ａと第２のスタンド本体部１０Ｂとの接合面を合わせることで直方体形状のスタンド本体１０が形成される。
【００２３】
スタンド本体１０の下部には貫通孔部１１が形成され、上部には該貫通孔部１１の貫通方向（以下ｘ軸方向と称す）と直交する方向（以下ｙ軸方向と称す）に沿って第１の凹溝１２が形成され、またこの第１の凹溝１２と直交する第２の凹溝１３がｘ軸方向に形成されている。これら第１の凹溝１２と第２の凹溝１３は、ポップカード３０の下端部が差し込まれるもので、ポップカード３０の厚みよりも若干小さめに溝幅が形成され、差し込まれたポップカード３０を強い弾性力でその両側から挟持することでポップカード３０をしっかりと固定できるようになっている。
【００２４】
これら第１の凹溝１２はスタンド本体１０のｘ軸方向に沿った辺の略中央位置に形成され、第２の凹溝１３はスタンド本体１０のｙ軸方向に沿った辺の略中央位置に形成されている。また、貫通孔部１１は、ｙ軸方向における軸中心を第２の凹溝１３の中心と一致させている。
【００２５】
本実施の形態において、第１のスタンド本体部１０Ａと第２のスタンド本体部１０Ｂとの接合面は、貫通孔部１１のｙ軸方向における軸心を通るｘ‐ｚ（ｘ、ｙ軸に直交する軸）平面に形成されている。
【００２６】
すなわち、本実施の形態において、第１のスタンド本体部１０Ａと第２のスタンド本体部１０Ｂとをｚ軸を中心に左右対称に形成しており、下部に形成された半円形の各弧状溝部１１ａ、１１ｂが合わさって貫通孔部１１を形成している。
【００２７】
また、第１のスタンド本体部１０Ａと第２のスタンド本体部１０Ｂの接合面上部には、段付き部１３ａ、１３ｂが形成されていて、これらの段付き部１３ａと１３ｂが合わさって第２の凹溝１３を形成している。なお、貫通孔部１１の内径は吊るし掛け用バー４０の外径よりも若干小径に形成され、第１のスタンド本体部１０Ａの弧状溝部１１ａと第２のスタンド本体部１０Ｂの弧状溝部１１ｂとに吊るし掛け用バー４０を嵌合させた状態において、スタンド本体１０のｙ軸方向の幅がスタンドケース２０のｙ軸方向の内径よりも若干長くなる。
【００２８】
本実施の形態では、第１のスタンド本体部１０Ａと第２のスタンド本体部１０Ｂとをその接合面で合わせて構成されるスタンド本体１０に対し、その上方からスタンドケース２０を被せることにより第１のスタンド本体部１０Ａと第２のスタンド本体部１０Ｂとを密着させて一体化させている。
【００２９】
本実施の形態において、スタンドケース２０の内部はスタンド本体１０の外形と略同形状に形成されており、スタンド本体１０がガタなく収容されるようになっている。スタンドケース２０は上面２１ａと周囲の４側面２１ｂ〜２１ｅの計５つの面を有しており、上面２１ａには第１の凹溝１２と第２の凹溝１３に対応して直交する第１のスリット２２ａと第２のスリット２２ｂが形成されている。
【００３０】
第１のスリット２２ａと第２のスリット２２ｂは、スタンドケース２０をスタンド本体１０に対して略完全に被せた図１に示す状態において、スタンド本体１０の第１の凹溝１２と第２の凹溝１３に正対して形成されている。
【００３１】
第１の側面２１ｂとこの第１の側面２１ｂに対向する反対側の側面である第３の側面２１ｄは同形状に形成され、第１の側面２１ｂと第３の側面２１ｄの上部には、第２のスリット２２ｂに連接する第３のスリット２３が形成されている。また、第１の側面２１ｂと第３の側面２１ｄの下部には、スタンド本体１０にスタンドケース２０が装着された状態で、貫通孔部１１と干渉しない略逆Ｕ字形状の切欠部２４（第３面は不図示）が形成され、図１に示すように、貫通孔部１１に装着された吊るし掛け用バー４０にスタンドケース２０が当たらないようにしており、スタンドケース２０をスタンド本体１０に対して略その全高まで被せることができるようになっている。
【００３２】
また、第２の側面２１ｃとこの第２の側面２１ｃに対向する反対側の側面である第４の側面２１ｅは同形状に形成され、第２の側面２１ｃと第４の側面２１ｅの上部には、第１のスリット２２ａに連接する第４のスリット２５が形成されている。
【００３３】
第３のスリット２３及び第４のスリット２５は、スタンドケース２０をスタンド本体１０に対して略完全に被せた図１に示す状態において、第１の凹溝１２及び第２の凹溝１３の底と同レベル又は若干下がった位置までの深さを有し、ポップカード３０を第１の凹溝１２及び第２の凹溝１３の底まで差し込むのに障害とならないようにしている。なお、ポップカード３０が第１の凹溝１２及び第２の凹溝１３に差し込まれて挟持されるに障害とならないように、第１のスリット２２ａ、第２のスリット２２ｂ、第３のスリット２３及び第４のスリット２５のスリット幅が、第１の凹溝１２及び第２の凹溝１３の溝幅よりも大きく形成している。
【００３４】
本実施の形態において、ポップカードスタンド１を陳列用ハンガーの吊るし掛け用バー４０に取り付ける場合は、スタンド本体１０を構成する第１のスタンド本体部１０Ａと第２のスタンド本体部１０Ｂを吊るし掛け用バー４０の左右から各弧状溝部１１ａ、１１ｂに嵌合させて第１のスタンド本体部１０Ａと第２のスタンド本体部１０Ｂとをその接合面同士を合わせて未接合状態のスタンド本体１０を形成する。そして、スタンドケース２０をこの未接合状態のスタンド本体１０の上方から被せる。その際、スタンドケース２０に逆Ｕ字形状の切欠部２４が形成されている第１の側面２０ｂと第２の側面２０ｄが吊るし掛け用バー４０の挿通側となるようにする。
【００３５】
スタンド本体１０はゴム部材で形成されているため摩擦力が大きいこと、及びスタンドケース２０は第１のスタンド本体部１０Ａと第２のスタンド本体部１０Ｂの各弧状溝部１１ａ、１１ｂ内に吊るし掛け用バー４０を挟み込んだ状態で第１のスタンド本体部１０Ａと第２のスタンド本体部１０Ｂを弾性変形させて締め付けることから、スタンドケース２０を未接合状態のスタンド本体１０の上方からスムーズに被せ難い。
【００３６】
そこで、本実施の形態では、スタンドケース２０の第１の側面２１ｂと第３の側面２１ｄに対し、ｘ軸方向における長さがスタンド本体１０と同長の上端の幅よりも下端の幅を若干広く形成した台形形状に形成している。
【００３７】
しかし、未接合状態のスタンド本体１０を吊るし掛け用バー４０に対して挟持作用を行なわせるｙ軸方向における第２の側面２１ｃと第４の側面２１ｅの間隔は上下方向において等しく形成しているので、第１のスタンド本体部１０Ａと第２のスタンド本体部１０Ｂとをしっかりと締め付けることができる。
【００３８】
このように、直方体状のスタンド本体１０の４側面に対し、ｘ軸方向の２側面に当接するスタンドケース２０の２側面である第１の側面２１ｂと第３の側面２１ｄとの対向間隔を下端に向けて広げているので、スタンドケース２０の被着終了直前までｙ軸方向に対向する第２の側面２１ｃと第４の側面２１ｅの２側面との摩擦接触でスタンド本体１０に被着されるため、スタンドケース２０をスタンド本体１０に対してスムーズに被着させることができる。
【００３９】
スタンドケース２０をスタンド本体１０に完全に被着すると、スタンドケース２０がスタンド本体１０を略完全に覆い、第１のスタンド本体部１０Ａと第２のスタンド本体部１０Ｂとがスタンドケース２０により締め付けられてｙ軸方向に沿って弾性的に圧縮されて一体化し、吊るし掛け用バー４０に貫通孔部１１が圧着される。
【００４０】
貫通孔部１１の内周面は吊るし掛け用バー４０に対して圧着されているので、スタンド本体１０に大きな外力を加えてもスタンド本体１０が吊るし掛け用バー４０に対して回転することがない。また、スタンド本体１０は吊るし掛け用バー４０に対して金属接触することはないので、吊るし掛け用バー４０を傷つけることがない。
【００４１】
第１のスタンド本体部１０Ａと第２のスタンド本体部１０Ｂとの一体化は、スタンドケース２０の４側面により行なわれるので、上面２０ａは不要とすることもできるが、上面２０ａがないと外観上ゴム部材で形成されるスタンド本体１０の上面が露出してしまうので、デザイン的に上面２０ａは必要である。
【００４２】
スタンドケース２を金属で形成しても良いが、組み付けの際、あるいはスタンドケース２０を上方に引き上げてスタンド本体１０から離脱させて取り外す際等において吊るし掛け用バー４０を傷つけることもあるので、本実施の形態では合成樹脂により形成している。
【００４３】
なお、スタンドケース２０は合成樹脂（商品名：Polylac  ABS  PA756）による射出成形にて成形する際、第１の側面２１ｂと第３の側面２１ｄを傾斜させているので、成形後の形抜きが容易に行なえる。
【００４４】
また、スタンドケース２０の内面は梨地仕上げを施してスタンド本体１０との摩擦接触を強くし、スタンド本体１０の弾性復元力で上方にスタンドケース２０が持ち上がらないようにしている。
【００４５】
一方、スタンド本体１０を構成する第１のスタンド本体部１０Ａと第２のスタンド本体部１０Ｂは、吊るし掛け用バー４０に固定された状態において、スタンドケース３０に手で持って強い力を加えても弾性変形が非常に少ないが、上述のようにスタンドケース４０の被着の際には弾性的に収縮して吊るし掛け用バー４０を挟持できる弾性を備え、また第１の凹溝１２、第２の凹溝１３に差し込まれたポップカード３０を十分に挟持でき且つ挟持したポップカード３０を倒れることなく支持できる硬さのものが用いられ、例えばＥＰＴ６０°（エチレン  プロピレンゴム、ショア硬度６０°）が用いられる。
【００４６】
上記した実施の形態において、ポップカードスタンド１には、ｙ軸方向の第１の凹溝１２と、ｘ軸方向の第２の凹溝１３の２つの凹溝を直交して形成しているが、ポップカード３０の配置方向は図１に示すようにｙ軸方向に設けることが多いので、第１の凹溝１２のみ形成するようにしても良い。
【００４７】
また、図１に示すポップカード３０は、透明のアクリル樹脂板を上端部で折り返すように２つ折にして密接させ、その中に文字などを記載したシートを挟みこむようにしているが、１枚の板状のものであっても良い。
【００４８】
さらに、横長のポップカード３０を表示する場合には、吊るし掛け用バー４０に２つのポップカードスタンド１を離して取付、これら２つのポップカードスタンド１のｘ軸方向に延びる第２の凹溝１３に横長のポップカード３０を差し込むことでポップカード３０を支持することができる。
【００４９】
この本実施の形態のポップカードスタンド１は、直方体上に形成され、底面がフラットであるため、これを台上に直接載置してもある程度のサイズまでのポップカードであれば十分に支持することができる。また、使用方法として被取付部材として陳列用ハンガーの吊るし掛け用バー４０に限定されることはなく、縦、横、斜めの種々の方向に延びるバー状の被取付部材に装着してポップカードを掲示させることができる。
【図面の簡単な説明】
【００５０】
【図１】本発明の実施の形態を示すポップカードスタンドを陳列用ハンガーの吊るし掛け用バーに装着した状態の斜視図。
【図２】図１のポップカードスタンドの斜視図。
【図３】図１、図２に示すポップカードスタンドの分解斜視図。
【符号の説明】
【００５１】
１  ポップカードスタンド
１０  スタンド本体
１０Ａ  第１のスタンド本体部
１０Ｂ  第２のスタンド本体部
１１  貫通孔部
１１ａ、１１ｂ  弧状溝部
１２  第１の凹溝
１３  第２の凹溝
１３ａ、１３ｂ  段付き部
２０  スタンドケース
２１ａ  上面
２１ｂ〜２１ｅ  側面
２２ａ  第１のスリット
２２ｂ  第２のスリット
２３  第３のスリット
２４  切欠部
２５  第４のスリット
３０  ポップカード
４０  吊るし掛け用バー
【図１】
2006003587.tif 000003
【図２】
2006003587.tif 000004
【図３】
2006003587.tif 000005